(57)【要約】【課題】必要な認可マークや定格情報を有するとともに、リサイクル可能ななように被着部材に対応した定格銘板の製造を行うことができる定格銘板製造方法及び定格銘板製造プログラムを提供する。【解決手段】定格銘板に表示する仕向地及び製品種別毎に定められた承認種別及び定格銘板記載事項を記憶する仕向地仕様データ記憶部２２と、これを制御する管理コンピュータ２１とを用いた、定格銘板の製造方法に関する。管理コンピュータ２１が、入力された製品機種識別子に基づいてこの製品の製品種別を特定する段階と、入力された前記製品の仕向地及び特定された前記製品種別に基づいて仕向地仕様データ記憶部２２から承認種別及び定格銘板記載事項を抽出する段階と、前記承認種別及び定格銘板記載事項に基づいて定格銘板のレイアウトを設定する段階と、定格銘板の材質を設定する段階とを備えている。【選択図】図１
2005215441.tif 000002
【特許請求の範囲】
【請求項１】
定格銘板に表示する仕向地及び製品種別毎に定められた承認種別及び定格銘板記載事項を記憶する仕向地仕様情報記憶手段と、これを制御するコンピュータとを用いた、定格銘板の製造方法であって、前記コンピュータが、入力された製品機種識別子に基づいてこの製品の製品種別を特定する段階と、入力された前記製品の仕向地及び特定された前記製品種別に基づいて前記仕向地仕様情報記憶手段から承認種別及び定格銘板記載事項を抽出する段階と、前記承認種別及び定格銘板記載事項に基づいて定格銘板のレイアウトを設定する段階と、定格銘板の材質を設定する段階とを備えたことを特徴とする定格銘板製造方法。
【請求項２】
請求項１に記載の定格銘板製造方法において前記レイアウトを設定する段階は、前記抽出した承認種別及び定格銘板記載事項に基づいて、承認の有無及び定格銘板記載事項の内容の入力を促し、前記承認の有無及び定格銘板記載事項の内容の入力情報に基づいて定格銘板のレイアウトを設定することを特徴とする定格銘板製造方法。
【請求項３】
前記コンピュータは、機種識別子毎に承認情報及び定格情報を含む機種情報を記憶した機種情報記憶手段に接続され、請求項１に記載の定格銘板製造方法において前記レイアウトを設定する段階は、前記機種情報記憶手段から、前記抽出した承認種別及び定格銘板記載事項に関する機種情報を抽出し、前記機種情報についての抽出情報に基づいて定格銘板のレイアウトを設定することを特徴とする定格銘板製造方法。
【請求項４】
請求項３の定格銘板の材質を設定する段階は、抽出された機種情報に含む定格銘板被着部の材質情報に基づき、定格銘板の材質を設定することを特徴とする定格銘板製造方法。
【請求項５】
定格銘板に表示する仕向地及び製品種別毎に定められた承認種別及び定格銘板記載事項を記憶する仕向地仕様情報記憶手段と、これを制御するコンピュータとを用いて、定格銘板を製造するためのプログラムであって、前記コンピュータを、入力された製品機種識別子に基づいてこの製品の製品種別を特定する製品種別特定手段、入力された前記製品の仕向地及び特定された前記製品種別に基づいて前記仕向地仕様情報記憶手段から承認種別及び定格銘板記載事項を抽出する定格銘板記載事項抽出手段、前記承認種別及び定格銘板記載事項に基づいて定格銘板のレイアウトを設定する定格銘板レイアウト設定手段、及び、定格銘板の材質を設定する手段として機能させることを特徴とする定格銘板製造プログラム。
【請求項６】
請求項５に記載の定格銘板製造プログラムにおいて、前記定格銘板レイアウト設定手段を、前記抽出した承認種別及び定格銘板記載事項に基づいて、承認の有無及び定格銘板記載事項の内容の入力を促し、前記承認の有無及び定格銘板記載事項の内容の入力情報に基づいて定格銘板のレイアウトを設定する手段として機能させることを特徴とする定格銘板製造プログラム。
【請求項７】
前記コンピュータは、機種識別子毎に承認情報及び定格情報を含む機種情報を記憶した機種情報記憶手段に接続され、請求項５に記載の定格銘板製造プログラムにおいて、前記定格銘板レイアウト設定手段を、前記機種情報記憶手段から、前記抽出した承認種別及び定格銘板記載事項に関する機種情報を抽出し、前記機種情報についての抽出情報に基づいて定格銘板のレイアウトを設定する手段と定格銘板の材質を設定する手段として機能させることを特徴とする定格銘板製造プログラム。
【請求項８】
前記コンピュータは、請求項７の定格銘板の材質を設定する手段を、抽出された機種情報に含む定格銘板被着部の材質情報に基づき、定格銘板の材質を設定する手段として機能させることを特徴とする定格銘板製造プログラム。
【発明の詳細な説明】
【技術分野】
【０００１】
本発明は、定格銘板製造方法及び定格銘板製造プログラムに関する。
【背景技術】
【０００２】
多くの電子機器等の工業製品には定格銘版が貼付されている。この定格銘板は、定格電圧等の定格情報や各種認可マークを表示したラベルである。この定格銘板のレイアウトは、製品の設計者によって、定格電圧等の定格情報や認可マークに基づいて個別に決定される場合がある。一方、定格銘板に表示すべき事項や定格電圧等の定格情報は、国等によってそれぞれ定められている。このため、定格銘板は、同一の製品であっても、製品を出荷する仕向地によって異なるものを製造する必要がある。また、従来特開平８−２６９４０７号公報や特開平８−３４０１８２号公報においては、被着部材と同一の素材からなるラベルやデカルによりリサイクル性を向上させたものが知られている。
【特許文献１】特開平８−２６９４０４号公報
【特許文献２】特開平８−３４０１８２号公報
【特許文献３】特開２００３−３３０３７５号公報
【発明の開示】
【発明が解決しようとする課題】
【０００３】
しかしながら、仕向地によって異なる定格銘板のレイアウトの決定を、製品の設計者が個別に行うのでは、時間がかかりするばかりでなく、定格銘板のレイアウトが統一されない。また、各種承認の得られる時期はまちまちであり、また、必要な承認が変更されることもある。このような場合に、迅速に対応して、必要な情報を有する定格銘板を製造することが必要である。さらに、定格銘板の材質は、製品、ユニットに関わらず単一材料を使用していたので、製品毎、機種毎に被着部の材質と異なることがあり、被着部材のリサイクルにあたり定格銘板を剥がす必要があった。
【０００４】
そこで、本発明は、必要な認可マークや定格情報を有するとともに、リサイクル可能ななように被着部材に対応した定格銘板の製造を行うことができる定格銘板製造方法及び定格銘板製造プログラムを提供することをその目的とする。
【課題を解決するための手段】
【０００５】
請求項１に記載の発明は、定格銘板に表示する仕向地及び製品種別毎に定められた承認種別及び定格銘板記載事項を記憶する仕向地仕様情報記憶手段と、これを制御するコンピュータとを用いた、定格銘板の製造方法であって、前記コンピュータが、入力された製品機種識別子に基づいてこの製品の製品種別を特定する段階と、入力された前記製品の仕向地及び特定された前記製品種別に基づいて前記仕向地仕様情報記憶手段から承認種別及び定格銘板記載事項を抽出する段階と、前記承認種別及び定格銘板記載事項に基づいて定格銘板のレイアウトを設定する段階と、定格銘板の材質を設定する段階とを備えたことを特徴とする定格銘板製造方法である。
【０００６】
請求項２に記載の発明は、請求項１に記載の定格銘板製造方法において前記レイアウトを設定する段階は、前記抽出した承認種別及び定格銘板記載事項に基づいて、承認の有無及び定格銘板記載事項の内容の入力を促し、前記承認の有無及び定格銘板記載事項の内容の入力情報に基づいて定格銘板のレイアウトを設定することを特徴とする定格銘板製造方法である。
【０００７】
請求項３に記載の発明は、前記コンピュータは、機種識別子毎に承認情報及び定格情報を含む機種情報を記憶した機種情報記憶手段に接続され、請求項１に記載の定格銘板製造方法において前記レイアウトを設定する段階は、前記機種情報記憶手段から、前記抽出した承認種別及び定格銘板記載事項に関する機種情報を抽出し、前記機種情報についての抽出情報に基づいて定格銘板のレイアウトを設定することを特徴とする定格銘板製造方法である。
【０００８】
請求項４に記載の発明は、請求項３の定格銘板の材質を設定する段階は、抽出された機種情報に含む定格銘板被着部の材質情報に基づき、定格銘板の材質を設定することを特徴とする定格銘板製造方法である。
【０００９】
請求項５に記載の発明は、定格銘板に表示する仕向地及び製品種別毎に定められた承認種別及び定格銘板記載事項を記憶する仕向地仕様情報記憶手段と、これを制御するコンピュータとを用いて、定格銘板を製造するためのプログラムであって、前記コンピュータを、入力された製品機種識別子に基づいてこの製品の製品種別を特定する製品種別特定手段、入力された前記製品の仕向地及び特定された前記製品種別に基づいて前記仕向地仕様情報記憶手段から承認種別及び定格銘板記載事項を抽出する定格銘板記載事項抽出手段、前記承認種別及び定格銘板記載事項に基づいて定格銘板のレイアウトを設定する定格銘板レイアウト設定手段、及び、定格銘板の材質を設定する手段として機能させることを特徴とする定格銘板製造プログラムである。
【００１０】
請求項６に記載の発明は、請求項５に記載の定格銘板製造プログラムにおいて、前記定格銘板レイアウト設定手段を、前記抽出した承認種別及び定格銘板記載事項に基づいて、承認の有無及び定格銘板記載事項の内容の入力を促し、前記承認の有無及び定格銘板記載事項の内容の入力情報に基づいて定格銘板のレイアウトを設定する手段として機能させることを特徴とする定格銘板製造プログラムである。
【００１１】
請求項７に記載の発明は、前記コンピュータは、機種識別子毎に承認情報及び定格情報を含む機種情報を記憶した機種情報記憶手段に接続され、請求項５に記載の定格銘板製造プログラムにおいて、前記定格銘板レイアウト設定手段を、前記機種情報記憶手段から、前記抽出した承認種別及び定格銘板記載事項に関する機種情報を抽出し、前記機種情報についての抽出情報に基づいて定格銘板のレイアウトを設定する手段と定格銘板の材質を設定する手段として機能させることを特徴とする定格銘板製造プログラムである。
【００１２】
請求項８に記載の発明は、前記コンピュータは、請求項７の定格銘板の材質を設定する手段を、抽出された機種情報に含む定格銘板被着部の材質情報に基づき、定格銘板の材質を設定する手段として機能させることを特徴とする定格銘板製造プログラムである。
【発明の効果】
【００１３】
請求項１又は５に記載の発明によれば、定格銘板に表示する仕向地及び製品種別毎に定められた承認種別及び定格銘板記載事項を仕向地仕様情報記憶手段に記憶する。そして、その仕向地仕様情報記憶手段と、これを制御するコンピュータとを用いて、定格銘板を製造する。この場合において、コンピュータは、入力された製品機種識別子に基づいてこの製品の製品種別を特定し、仕向地仕様情報記憶手段から承認種別及び定格銘板記載事項を抽出する。そして、コンピュータは、抽出した承認種別及び定格銘板記載事項に基づいて定格銘板のレイアウトを設定する。このため、必要な記載事項についての表示と必要な承認についての表示とを有する定格銘板を製造できる。さらに、定格銘板の材質を設定できるので、リサイクル可能なように被着部材に対応した定格銘板の製造を行うことができる。
【００１４】
請求項２又は６に記載の発明によれば、コンピュータは、定格銘板記載事項に基づいて、承認の有無及び定格銘板記載事項の内容の入力を促し、入力情報に基づいて定格銘板のレイアウトを設定する。このため、定格銘板に必要な情報についてコンピュータが入力を促すので、必要な情報を漏れなく入力できる。
【００１５】
請求項３又は７に記載の発明によれば、コンピュータは、機種識別子毎に承認情報及び定格情報を含む機種情報を記憶した機種情報記憶手段に接続される。そして、コンピュータは、機種情報記憶手段から、承認種別及び定格銘板記載事項に関する機種情報を抽出し、その抽出情報に基づいて定格銘板のレイアウトを設定する。このため、定格銘板に必要な情報はコンピュータが機種情報記憶手段から抽出するので、効率的に定格銘板のレイアウトの設定を行うことができる。
【００１６】
請求項４又は８に記載の発明によれば、コンピュータは、機種識別子毎に承認情報及び定格情報を含む機種情報を記憶した機種情報記憶手段に接続される。そして、コンピュータは、機種情報記憶手段から、承認種別及び定格銘板記載事項に関する機種情報を抽出し、その抽出情報に基づいて定格銘板の材質を設定する。このため、被着部材に基づいた定着銘板を製造することにより、被着部材のリサイクルにあたり定格銘板をはがすことが省略できる。
【発明を実施するための最良の形態】
【００１７】
以下、本発明を具体化した一実施形態を図１〜図７に従って説明する。本実施形態では、仕向地及び製品毎に定められた記載事項を記載した定格銘板を製造する定格銘板製造方法及び定格銘板製造プログラムとして説明する。
【００１８】
図１に示すように、定格銘板製造システム２０は、ネットワークＮを介して、定格銘板出力端末１０に接続されている。定格銘板出力端末１０は、定格銘板を出力する端末であって、定格銘板の印刷を行うための印刷手段を備えている。この定格銘板出力端末１０は、定格銘板製造システム２０の管理コンピュータ２１から送信される定格銘板印刷データを受信して印刷を行うものである。このため、この定格銘板出力端末１０は、図示しない制御手段（ＣＰＵ）、記憶手段（ＲＡＭ、ＲＯＭ、ハードディスク等）、通信手段、表示制御手段（例えば、モニタ）、入力手段を備えている。
【００１９】
定格銘板製造システム２０は、図１に示すように、管理コンピュータ２１を備えている。管理コンピュータ２１は、図示しない制御手段（ＣＰＵ）、記憶手段（ＲＡＭ、ＲＯＭ、ハードディスク等）、通信手段等を有するコンピュータである。この管理コンピュータ２１は、定格銘板製造プログラムを実行することにより、定格銘板製造処理を実行する。なお、この定格銘板製造プログラムは、各種プログラムにより構成されており、これらの各種プログラムを実行することにより、データの送受信、後述するデータの処理等を行なう。すなわち、本実施形態では、この管理コンピュータ２１が、製品種別特定手段、定格銘板記載事項抽出手段、定格銘板レイアウト設定手段等として機能する。管理コンピュータ２１には、仕向地仕様情報記憶手段としての仕向地仕様データ記憶部２２及び機種情報記憶手段としての機種データ記憶部２３が、それぞれ接続されている。
【００２０】
仕向地仕様データ記憶部２２には、図２に示すように、仕向地及び製品種別毎に仕向地仕様データ２２０が記憶されている。本実施形態では、仕向地仕様データ２２０は、仕向地識別子ａ１、製品種別ａ２、承認種別ａ３、記載事項ａ４及び定格銘板フォーマットａ５により構成されている。仕向地識別子ａ１は、仕向地を識別するための識別子である。製品種別ａ２は、例えば、コンピュータ、ファクシミリ等の製品の種別である。承認種別ａ３は、仕向地識別子ａ１及び製品種別ａ２によって特定される予め定められた承認種別である。本実施形態では、例えば、仕向地が日本の場合、承認種別ａ３の候補としては、「ＰＳＥ」（電気用品安全法で定める技術基準への適合マーク）、「ＪＡＴＥ」（財団法人  電気通信端末機器審査協会）とがある。そして、製品種別ａ２により、「ＰＳＥ」及び「ＪＡＴＥ」の両方が必要な場合、「ＰＳＥ」のみが必要な場合、「ＪＡＴＥ」が必要な場合がある。また、例えば、仕向地が北米の場合には承認種別ａ３は「ＦＣＣ」（Ｆｅｄｅｒａｌ  Ｃｏｍｍｕｎｉｃａｔｉｏｎｓ  Ｃｏｍｍｉｓｓｉｏｎ、連邦通信委員会）であり、仕向地が欧州の場合には承認種別ａ３は「Ｌａｓｅｒ」である。記載事項ａ４は、定格銘板に記載する必要がある定格情報を示す。
【００２１】
定格銘板フォーマットａ５は、定格銘板に印刷する事項のフォーマットについての情報であって、例えば、図５に示すような所定の領域としての承認情報表示領域である定格銘板フォーマット４０を印刷するための情報である。定格銘板フォーマット４０は、図形領域としての認可マーク領域である認証番号タイトル４１、図形領域としての追加第１マーク領域である定格情報タイトル４２、図形領域としての追加第２マーク領域である機種コードタイトル４３及び図形領域としての２次元バーコード領域である製造機番タイトル４４を有している。定格情報タイトル４２は、記載事項ａ４に対応する。ここでは、記載事項ａ４に対応して、定格情報タイトル４２として、定格電圧、定格周波数、定格消費電力、定格電流を有している。また、定格銘板フォーマット４０は、機種名表示４５、認可マーク表示４６、認証番号表示４７、定格情報表示４８、機種コード表示４９、文字領域としての第１文字表示領域であるブランド表示５０及び文字領域としての第２文字表示領域であるその他表示５１についての位置情報を有している。さらに、定格銘板フォーマット４０は、文字領域としての第１文字表示領域である製造機番表示５２及び文字領域としての第２文字表示領域である２次元バーコード表示５３についての位置情報を有している。定格情報表示４８は、記載事項ａ４に対応して表示される定格情報タイトル４２に対応する定格情報に対応する。なお、仕向地仕様データ２２０は、各国で定格銘板に表示すべき承認種別や記載事項に基づいて本実施形態の処理に先立って記憶されている。
【００２２】
機種データ記憶部２３には、図３に示すように、機種識別子毎に機種データ２３０が記憶されている。本実施形態では、機種データ２３０は、機種識別子ｂ１、製品種別ａ２、承認情報ｂ２及び定格情報ｂ３により構成されている。機種識別子ｂ１は、機種を識別するための識別子である。製品種別ａ２は、製品の種別であって、仕向地仕様データ２２０の製品種別ａ２に対応する。承認情報ｂ２は、その機種について承認されている承認種別について設定される。例えば、「ＰＳＥ」及び「ＪＡＴＥ」について承認されている場合、承認情報ｂ２として「ＰＳＥ」及び「ＪＡＴＥ」が設定されている。定格情報ｂ３は、その機種の定格情報であって、仕向地仕様データ２２０の記載事項ａ４に対応する項目についての定格情報が設定される。この定格情報ｂ３には、例えば、定格電圧、定格周波数、定格電流、定格電力、被着材情報等が設定される。なお、機種データ２３０は、製品の設計段階や承認の得られたときに記憶される。
【００２３】
次に、上記のように構成されたシステムにおいて、管理コンピュータ２１が定格銘板出力端末１０を用いて定格銘板を製造する場合の処理手順を図４に従って説明する。図４に示すように、まず、作業者は、定格銘板の製造の要求を定格銘板出力端末１０を用いて行なう。この場合、定格銘板出力端末１０は、定格銘板製造要求データをネットワークＮを介して管理コンピュータ２１に送信する。この要求を受信した管理コンピュータ２１は、定格銘板を製造する機種の機種識別子ｂ１の入力要求を定格銘板出力端末１０に送信する。この要求を受信した定格銘板出力端末１０は、作業者に機種識別子ｂ１の入力を促す。なお、本実施形態では、作業者に各種データの入力を促す場合には、このデータを要求する画面表示をモニタに出力することにより行なわれる。そして、作業者が定格銘板を製造する機種の機種識別子ｂ１を入力した場合、定格銘板出力端末１０は、その機種識別子ｂ１を管理コンピュータ２１に送信する。管理コンピュータ２１は、この機種識別子ｂ１をネットワークＮを介して受信する（Ｓ１−１）。次に、管理コンピュータ２１は、受信した機種識別子ｂ１に基づいて、機種データ記憶部２３から製品種別ａ２を抽出する（Ｓ１−２）。
【００２４】
次に、管理コンピュータ２１は、仕向地識別子ａ１の要求を定格銘板出力端末１０に送信する。定格銘板出力端末１０は、この要求に基づいて作業者に対して仕向地識別子ａ１の入力を促す。作業者が仕向地識別子ａ１を入力した場合、定格銘板出力端末１０は、入力された仕向地識別子ａ１を管理コンピュータ２１に送信する。そして、管理コンピュータ２１は、その仕向地識別子ａ１によりネットワークＮを介して仕向地を受信する（Ｓ１−３）。そして、管理コンピュータ２１は、受信した仕向地の仕向地識別子ａ１を用いて、仕向地仕様データ記憶部２２から承認種別ａ３を抽出する（Ｓ１−４）。
【００２５】
次に、管理コンピュータ２１は、その承認種別ａ３について、承認の有無を判定する（Ｓ１−５）。具体的には、管理コンピュータ２１は、機種識別子ｂ１により機種データ記憶部２３から承認情報ｂ２を抽出し、承認種別ａ３についての承認があるかどうかを判定する。承認情報ｂ２に承認種別ａ３が設定されている場合、管理コンピュータ２１は、その承認種別ａ３について、承認がされていると判断する。そして、管理コンピュータ２１は、承認ありの場合（ステップＳ１−５でＹＥＳの場合）、承認識別子の抽出を行う（Ｓ１−６）。ここでは、承認識別子として、承認時に付与された承認番号を用いる。本実施形態では、承認識別子は機種識別子ｂ１及び承認種別ａ３に関連付けられて図示しない記憶部に記憶されている。
【００２６】
次に、管理コンピュータ２１は、仕向地仕様データ２２０の記載事項ａ４に基づいて機種データ２３０の定格情報ｂ３から記載事項ａ４に対応する項目の情報を抽出する（Ｓ１−７）。
【００２７】
次に、管理コンピュータ２１は、定格銘板に表示するブランドの入力要求を定格銘板出力端末１０に送信する。そして、作業者がブランドを入力した場合、定格銘板出力端末１０は、入力されたブランドを管理コンピュータ２１に送信する。そして、管理コンピュータ２１は、そのブランドをネットワークＮを介して受信する（Ｓ１−８）。
【００２８】
そして、管理コンピュータ２１は、仕向地仕様データ２２０、機種データ２３０及び入力された情報に基づいて、定格銘板のフォーマットの例示を行う（Ｓ１−９）。具体的には、管理コンピュータ２１は、仕向地仕様データ２２０の定格銘板フォーマットａ５に製品種別ａ２に応じた認可マーク、承認識別子及び機種データ２３０の定格情報ｂ３等を設定した定格銘板のフォーマットを生成する。そして、管理コンピュータ２１は、その定格銘板のフォーマットを表示するための定格銘板表示データを定格銘板出力端末１０に送信する。定格銘板表示データを受信した定格銘板出力端末１０は、モニタに定格銘板のフォーマットを表示する。
【００２９】
ここでは、定格銘板出力端末１０に、図６に示す定格銘板フォーマット４０が表示される。この段階の定格銘板フォーマット４０には、機種名表示４５、認可マーク表示４６、認証番号表示４７、認証番号表示４７、定格情報表示４８、機種コード表示４９、ブランド表示５０及びその他表示５１に各項目が含まれる。機種名表示４５は、機種データ２３０の機種識別子ｂ１に基づいて図示しない記憶部から抽出された機種名が設定される。認可マーク表示４６及び認証番号表示４７は、機種データ２３０の承認情報ｂ２に基づいて抽出された認可マーク及び認証番号がそれぞれ設定される。定格情報表示４８には、機種データ２３０の定格情報ｂ３に基づいて定格情報タイトル４２に対応して設定される。機種コード表示４９は、機種データ２３０の機種識別子ｂ１に基づいて設定される。
【００３０】
その他表示５１には、機種識別子ｂ１及び仕向地識別子ａ１に基づいて図示しない記憶部から抽出された、他の必要な認可マークが表示される。なお、製造機番表示５２及び２次元バーコード表示５３については、この段階では、表示されていない。作業者は、定格銘板出力端末１０のモニタの表示を確認し、表示された定格銘板フォーマット４０を用いて定格銘板を製造する場合、その定格銘板の出力要求を定格銘板出力端末１０から管理コンピュータ２１に送信する。
【００３１】
これに応じて、管理コンピュータ２１は、その定格銘板の必要枚数の入力要求を定格銘板出力端末１０に送信する。この要求を受信した定格銘板出力端末１０はモニタに必要枚数の入力画面を表示する。そして、作業者が必要枚数を入力した場合、定格銘板出力端末１０は、その必要枚数を管理コンピュータ２１に送信する。そして、管理コンピュータ２１は、その必要枚数をネットワークＮを介して受信する（Ｓ１−１０）。
【００３２】
次に、管理コンピュータ２１は、その必要枚数に応じて機番の付与を行う（Ｓ１−１１）。
【００３３】
次に、管理コンピュータ２１は、被着材情報に基づいて定格銘板の材質を設定する。（Ｓ１−１２）具体的には、管理コンピュータ２１は、図示しない記憶部に記憶された付与済の機番の最大値に基づいて、付与する機番の開始番号を決定する。そして、管理コンピュータ２１は、この開始番号から必要枚数分の機番を付与し、定格銘板を製造するための定格銘板印刷データと定格銘板材質データを定格銘板出力端末１０に送信する（Ｓ１−１３）。この定格銘板印刷データは、ステップＳ１−９においてモニタに表示した定格銘板のフォーマットに機番を付与したものである。そして、定格銘板出力端末１０は、その定格銘板印刷データに基づいて定格銘板の印刷を行う。
【００３４】
この結果、図７に示すように、定格銘板フォーマット４０に各項目が設定されたラベルシート６０が印刷される。ここで、製造機番表示５２には、ラベルシート６０の１枚毎に付与された機番が設定される。また、２次元バーコード表示５３は、機番、機種識別子、製造年月等の情報を有する。このように、２次元バーコード表示５３は、機番を有するため、製造される定格銘板毎に製造機番表示５２に対応するそれぞれ異なる２次元バーコードが設定される。そして、作業者は、このようにして製造した定格銘板を、製造した製品に貼付する。
【００３５】
以上、本実施形態によれば、以下に示す効果を得ることができる。上記の実施形態では、管理コンピュータ２１は、機種識別子ｂ１から特定される製品種別ａ２と仕向地識別子ａ１に基づいて定格銘板の記載事項ａ４を取得する。このため、機種と仕向地とから、定格銘板に入れるべき内容を決定できる。
【００３６】
上記の実施形態では、管理コンピュータ２１は、機種データ２３０の承認情報ｂ２及び定格情報ｂ３に基づいて定格銘板への印刷内容を決定する。このため、定格銘板のレイアウトの設定を効率的に行うことができる。
【００３７】
上記の実施形態では、管理コンピュータ２１は、定格銘板出力端末１０から定格銘板の製造要求を受けた時点で、仕向地仕様データ２２０、機種データ２３０等に基づいて定格銘板への印刷内容を決定する。つまり、定格銘板の製造要求を行うまでにまでに、承認された承認種別ａ３に対応した記載事項ａ４及び定格銘板フォーマットａ５が決定されていればよい。このため、定格銘板の製造要求を行うまでに承認が取れていれば、その承認情報に基づいて、認可マーク及び承認識別子を付与した定格銘板を製造することができる。例えば、製品の完成時に対応して定格銘板を製造するのであれば、製品の完成時における承認情報を有する定格銘板を製造することができる。
【００３８】
上記の実施形態では、定格銘板に製造機番等についての情報を有する２次元バーコード表示５３を印刷した。このため、定格銘板の情報に基づいて行う作業について、効率化を図ることができる。
【００３９】
上記の実施形態では定格銘板の材質を貼り付ける対象の製品であるユニット部材（定格銘板被着部）と同じ材質を選定することにより、リサイクル時に定格銘板を剥す必要がなく、そのままリサイクルが可能となる。なお、ユニット部材とは、例えば、ポリスチレン（ＰＳ）製のカバーや、ポリスチレン（ＰＳ）製のケース等である。本実施形態では、定格銘板がポリスチレン（ＰＳ）製の場合について説明したが、定格銘板被着部がポリスチレン（ＰＳ）以外の材質、ポリエステル（ＰＥＴ）、アクリロニトリルブタジエンスチレン（ＡＢＳ）であっても、同様にして定格銘板の材質を定格銘板被着部の材質と同一にしてその材質名を定格銘板に表示することができる。又、樹脂以外の材質、例えば亜鉛処理鋼板等の金属材等であっても同様である。
【００４０】
なお、上記実施形態は、以下の態様に変更してもよい。上記の実施形態では、定格銘板の製造要求を行うまでに、作業者により予め入力された機種データ２３０を用いた。これに代えて、定格銘板の製造要求の際に、承認の有無や定格情報について作業者に各項目毎に入力を促してもよい。例えば、定格銘板の製造要求が行われた際に、管理コンピュータ２１が、承認の有無や定格情報についての入力画面を定格銘板出力端末１０のモニタに表示させ、作業者が定格銘板出力端末１０からこれらの情報を入力してもよい。これにより、作業者は定格銘板に必要な承認種別や記載事項を漏れなく入力することができる。
【００４１】
上記の実施形態では、製造した定格銘板を別ラインで製造した製品に作業者が貼付した。これに代えて、定格銘板の製造を製品の製造と同一のラインで行ってもよい。また、製造した定格銘板の製品への貼付を自動化してもよい。このようにすることで、定格銘板の製造及び製品の貼付を効率化することができる。
【００４２】
上記の実施形態では、仕向地仕様データ２２０の定格銘板フォーマットａ５により予め定格銘板のフォーマットを決定しており、承認の有無にかかわらず、同一のフォーマットで定格銘板を製造した。これに代えて、承認の有無に従ってフォーマットを変更してもよい。例えば、承認種別ａ３についての承認がとれていない場合、印刷する文字や図の大きさや間隔を調整して、認可マーク表示４６や認証番号表示４７の位置に、定格情報タイトル４２や定格情報表示４８を印刷してもよい。
【００４３】
上記の実施形態では、定格銘板製造システム２０に記憶部２２，２３を設定したが、各記憶部２２，２３は、分けて別の場所に設定してもよい。また、記憶部２２，２３を設定した専用機により同様の処理を行ってもよい。なお、本発明は上記実施例に限定されるものではない。即ち、本発明の骨子を逸脱しない範囲で種々変形して実施することができる。
【図面の簡単な説明】
【００４４】
【図１】本発明の一実施形態のシステム概略図である。
【図２】仕向地仕様データ記憶部に記憶されたデータの説明図である。
【図３】機種データ記憶部に記憶されたデータの説明図である。
【図４】本発明の一実施形態の処理手順の説明図である。
【図５】本発明の一実施形態の処理手順の説明図である。
【図６】定格銘板を説明するための説明図である。
【図７】定格銘板の承認情報表示領域を説明するための説明図である。
【符号の説明】
【００４５】
１０    定格銘板出力端末
２１    管理コンピュータ
４０    定格銘板フォーマット（図形領域、承認情報表示領域）
４１    認証番号タイトル（図形領域、認可マーク領域）
４２    定格情報タイトル（図形領域、追加第１マーク領域）
４３    機種コードタイトル（図形領域、追加第２マーク領域）
４４    製造機番タイトル（図形領域、２次元バーコード領域）
５０    ブランド表示（文字領域、第１文字表示領域）
５２    製造機番表示（文字領域、第１文字表示領域）
５１    その他表示（文字領域、第２文字表示領域）
５３    ２次元バーコード表示（文字領域、第２文字表示領域）
Ｎ    ネットワーク
【図１】
2005215441.tif 000003
【図２】
2005215441.tif 000004
【図３】
2005215441.tif 000005
【図４】
2005215441.tif 000006
【図５】
2005215441.tif 000007
【図６】
2005215441.tif 000008
【図７】
2005215441.tif 000009